(57)【要約】【課題】摺接ガイド部と搬出ガイド板との間での振動伝播面での合理的な改造によって騒音の低減化を図る。【解決手段】庫内の底部側に、商品収納ラックから払い出される商品を受止めて商品取出口側に搬出案内する搬出ガイド板３１を配設し、この搬出ガイド板３１上の払出商品を商品取出口側に向かって押し出すための押出し具４０を備えた商品搬出コンベヤＢを設けるとともに、搬出ガイド板３１の側辺部には、押出し具４０を摺接状態で移動案内する摺接ガイド部３１Ｂを設け、搬出ガイド板３１の搬出ガイド面３１ａと摺接ガイド部３１Ｂとの間での音源となる振動の伝播を減少する伝播振動減少手段Ｆを設ける。【選択図】        図４
2004227377.tif 000002
【特許請求の範囲】
【請求項１】
庫内の底部側に、商品収納ラックから払い出される商品を受止めて商品取出口側に搬出案内する搬出ガイド板を配設し、この搬出ガイド板上の払出商品を商品取出口側に向かって押し出すための押出し具を備えた商品搬出コンベヤを設けるとともに、搬出ガイド板の側辺部には、押出し具を摺接状態で移動案内する摺接ガイド部を設けてある自動販売機の商品搬出装置であって、
前記搬出ガイド板の搬出ガイド面と摺接ガイド部との間での音源となる振動の伝播を減少する伝播振動減少手段が設けられている自動販売機の商品搬出装置。
【請求項２】
前記伝播振動減少手段が、他の部位よりも高い剛性を有する高剛性域を摺接ガイド部に沿って設けることにより構成されている請求項１記載の自動販売機の商品搬出装置。
【請求項３】
前記伝播振動減少手段が、搬出ガイド板の搬出ガイド面と摺接ガイド部との間で伝播される振動を減衰する振動減衰域を摺接ガイド部に沿って設けることにより構成されている請求項１記載の自動販売機の商品搬出装置。
【請求項４】
庫内の底部側に、商品収納ラックから払い出される商品を受止めて商品取出口側に搬出案内する搬出ガイド板を配設し、この搬出ガイド板上の払出商品を商品取出口側に向かって押し出すための押出し具を備えた商品搬出コンベヤを設けるとともに、搬出ガイド板の側辺部には、押出し具を摺接状態で移動案内する摺接ガイド部を設けてある自動販売機の商品搬出装置であって、
前記搬出ガイド板、摺接ガイド部、押出し具の少なくとも一つに音の発生を減少する発生音減少手段が設けられている自動販売機の商品搬出装置。
【請求項５】
前記発生音減少手段が、搬出ガイド板に形成された孔、リブ、スリット、網目構造の少なくとも一つから構成されている請求項４記載の自動販売機の商品搬出装置。
【請求項６】
前記発生音減少手段が、摺接ガイド部の摺接面に形成された非金属材料製の被覆層から構成されている請求項４記載の自動販売機の商品搬出装置。
【請求項７】
前記発生音減少手段が、押出し具を非金属材料から製作することにより構成されている請求項４記載の自動販売機の商品搬出装置。
【請求項８】
庫内の底部側に、商品収納ラックから払い出される商品を受止めて商品取出口側に搬出案内する搬出ガイド板を配設し、この搬出ガイド板の両側脇に沿って配設された無端回動体に亘って搬出ガイド板上の払出商品を商品取出口側に向かって押し出すための押出し杆を架設してなる商品搬出コンベヤを設けるとともに、搬出ガイド板の両側辺部には、押出し杆を摺接状態で移動案内する摺接ガイド部を設けてある自動販売機の商品搬出装置であって、
前記無端回動体の戻り経路側から商品搬出経路側に回動する押出し杆の中央部と搬出ガイド板の搬出始端部との衝突を回避する衝突回避手段が設けられている自動販売機の商品搬出装置。
【請求項９】
前記衝突回避手段が、搬出ガイド板の搬出始端部で、かつ、商品搬出経路側に回動する押出し杆の中央部に対応する部位に窪み形成された凹部又は貫通孔から構成されている請求項８記載の自動販売機の商品搬出装置。
【請求項１０】
庫内の底部側に、商品収納ラックから払い出される商品を受止めて商品取出口側に搬出案内する搬出ガイド板を配設し、この搬出ガイド板の両側脇に沿って配設された無端回動体に亘って搬出ガイド板上の払出商品を商品取出口側に向かって押し出すための押出し杆を架設してなる商品搬出コンベヤを設けるとともに、搬出ガイド板の両側辺部には、押出し杆を摺接状態で移動案内する摺接ガイド部を設けてある自動販売機の商品搬出装置であって、
前記搬出ガイド板の搬出始端部のうち、無端回動体の戻り経路側から商品搬出経路側に回動する押出し杆の中央部と接触又は衝突する可能性のある部位に緩衝材が設けられている自動販売機の商品搬出装置。
【発明の詳細な説明】
【０００１】
【発明の属する技術分野】
本発明は、庫内の商品収納ラックから下方に払い出される商品を受止めて外扉の商品取出口側に向かって強制搬出する自動販売機の商品搬出装置に関する。
【０００２】
【従来の技術】
従来の自動販売機の商品搬出装置では、庫内の底部側に、商品収納ラックから下方に払い出される商品を受止めて外扉の商品取出口側に向かって水平に搬出案内する板金製の搬出ガイド板を配設し、この搬出ガイド板の両側脇に配設される無端チェーンのうち、搬出経路幅方向で相対向する部位に亘って、搬出ガイド板上の払出商品を商品取出口側に向かって押し出すための金属製の中実棒状の押出し杆を架設してなる商品搬出コンベヤを設けるとともに、搬出ガイド板の両側辺部には、押出し杆を摺接状態で移動案内する摺接ガイド部を設けていた。
【０００３】
【発明が解決しようとする課題】
この種の自動販売機の商品搬出装置では、例えば、特開２００１−３０７２１２号公報等で開示されているように、商品搬出コンベヤをベルトコンベアから構成する場合に比して駆動モータやテンション機構等の小型化、軽量化を促進して製造コストの低廉化を図ることができる反面、騒音面で次のような問題が発生していた。
【０００４】
即ち、商品収納ラックから下方に払い出された商品を搬出ガイド板で受止めたときに大きな衝突音が発生するとともに、この受止められた払出商品を搬出ガイド板の上面に沿って外扉の商品取出口側に摺接状態で搬出案内するときには摺接音が発生するため、騒音発生の大きな要因の一つになっていた。
【０００５】
また、商品搬出経路に沿って移動する押出し杆が搬出ガイド板上の払出商品に当接したときにも騒音が発生するとともに、搬出ガイド板の両側辺部に設けた摺接ガイド部に沿って押出し杆が摺接移動する際に音源となる振動が発生し、その振動がそのまま搬出ガイド板側に伝播され、共振等によって騒音が大きくなるとともに、振動の減衰時間も長くなっていた。
【０００６】
更に、商品搬出コンベヤの作動状況を考察すると、搬出ガイド板の両側脇に配設される無端チェーンに亘って押出し杆が両持ち状態で架設されているものの、無端チェーンと押出し杆との間に回動半径方向の融通があるため、押出し杆が無端チェーンの戻り経路の終端側から商品搬出経路の始端側に回動する際、遠心力で回動半径方向外方に振り回された押出し杆が回動半径方向内方に急激に引き戻され、その結果、押出し杆の中央部が大きく撓み変形するため、搬出ガイド板の中央部分が搬出ガイド板の始端部に衝突して大きな騒音を発生することが判明した。
【０００７】
本発明は、上述の実状に鑑みて為されたものであって、商品払出時における商品搬出コンベアの騒音を軽減するもので、その第１の主たる課題は、摺接ガイド部と搬出ガイド板との間での振動伝播面での合理的な改造によって騒音の低減化を図り、第２の主たる課題は、搬出ガイド板と摺接ガイド部及び押出し具での合理的な改良によって個々の騒音発生を抑制し、更に、第３・第４の主たる課題は、押出し杆が戻り経路の終端側から商品搬出経路の始端側に回動する際の騒音発生を抑制することのできる自動販売機の商品搬出装置を提供する点にある。
【０００８】
【課題を解決するための手段】
本発明の請求項１による特徴構成は、庫内の底部側に、商品収納ラックから払い出される商品を受止めて商品取出口側に搬出案内する搬出ガイド板を配設し、この搬出ガイド板上の払出商品を商品取出口側に向かって押し出すための押出し具を備えた商品搬出コンベヤを設けるとともに、搬出ガイド板の側辺部には、押出し具を摺接状態で移動案内する摺接ガイド部を設けてある自動販売機の商品搬出装置であって、
前記搬出ガイド板の搬出ガイド面と摺接ガイド部との間での音源となる振動の伝播を減少する伝播振動減少手段が設けられている点にある。
【０００９】
上記特徴構成によれば、商品収納ラックから下方に払い出された商品を搬出ガイド板の搬出ガイド面で受止めたとき、及び、この受止められた払出商品を商品取出口側に摺接状態で搬出案内するとき、或いは、搬出ガイド板の側辺部に設けた摺接ガイド部に沿って押出し杆が摺接移動する際に音源となる振動が発生しても、その振動が摺接ガイド部側又は搬出ガイド板側に伝播されるときに伝播振動減少手段で減少することができるから、共振等によって騒音が大きくなることを効果的に抑制することができる。
【００１０】
従って、搬出ガイド板の搬出ガイド面と摺接ガイド部との間で音源となる振動の伝播を減少するといった合理的な改造によって、共振などを防止して騒音の低減化を図ることができる。
【００１１】
本発明の請求項２による自動販売機の商品搬出装置の特徴構成は、前記伝播振動減少手段が、他の部位よりも高い剛性を有する高剛性域を摺接ガイド部に沿って設けることにより構成されている点にある。
【００１２】
上記特徴構成によれば、商品収納ラックから下方に払い出された商品を搬出ガイド板で受止めたとき、及び、この受止められた払出商品を商品取出口側に摺接状態で搬出案内するとき、或いは、搬出ガイド板の側辺部に設けた摺接ガイド部に沿って押出し杆が摺接移動する際に音源となる振動が発生しても、摺接ガイド部に沿って設けられた高剛性域での振動による変位が大幅に小さくなり、音響反射の減少によって騒音が低減されるとともに、高い金属音の周波数を下げることができる。
【００１３】
本発明の請求項３による自動販売機の商品搬出装置の特徴構成は、前記伝播振動減少手段が、搬出ガイド板の搬出ガイド面と摺接ガイド部との間で伝播される振動を減衰する振動減衰域を摺接ガイド部に沿って設けることにより構成されている点にある。
【００１４】
上記特徴構成によれば、商品収納ラックから下方に払い出された商品を搬出ガイド板で受止めたとき、及び、この受止められた払出商品を商品取出口側に摺接状態で搬出案内するとき、或いは、搬出ガイド板の側辺部に設けた摺接ガイド部に沿って押出し杆が摺接移動する際に音源となる振動が発生しても、摺接ガイド部に沿って設けられた振動減衰域で伝播される振動を早期に減衰することができるから、騒音の低減化を効果的に図ることができる。
【００１５】
本発明の請求項４による特徴構成は、庫内の底部側に、商品収納ラックから払い出される商品を受止めて商品取出口側に搬出案内する搬出ガイド板を配設し、この搬出ガイド板上の払出商品を商品取出口側に向かって押し出すための押出し具を備えた商品搬出コンベヤを設けるとともに、搬出ガイド板の側辺部には、押出し具を摺接状態で移動案内する摺接ガイド部を設けてある自動販売機の商品搬出装置であって、
前記搬出ガイド板、摺接ガイド部、押出し具の少なくとも一つに音の発生を減少する発生音減少手段が設けられている点にある。
【００１６】
上記特徴構成によれば、発生音減少手段が搬出ガイド板に設けられている場合では、商品収納ラックから下方に払い出された商品を搬出ガイド板で受止めたときの衝突音、及び、この受止められた払出商品を商品取出口側に摺接状態で搬出案内するときの摺接音を減少することができる。
【００１７】
また、発生音減少手段が摺接ガイド部に設けられている場合には、搬出ガイド板の側辺部に設けた摺接ガイド部に沿って押出し杆が摺接移動する際に発生する摺接音を減少することができる。
【００１８】
更に、発生音減少手段が押出し具に設けられている場合には、商品搬出経路に沿って移動する押出し具が搬出ガイド板上の払出商品に当接したときの音を減少することができる。
【００１９】
従って、搬出ガイド板、摺接ガイド部、押出し具の何れか一つ又は２以上に発生音減少手段を設けることにより、騒音の低減化を効果的に図ることができる。
【００２０】
本発明の請求項５による自動販売機の商品搬出装置の特徴構成は、前記発生音減少手段が、搬出ガイド板に形成された孔、リブ、スリット、網目構造の少なくとも一つから構成されている点にある。
【００２１】
上記特徴構成によれば、搬出ガイド板に孔又は切口面同士が擦り合わない大きさのスリットが形成されている場合には、搬出ガイド板自体の質量が小さくなり、払出商品との衝突音の発生源自体が小さくなるため、騒音の軽減化を図ることができる。
【００２２】
前記搬出ガイド板にリブが形成されている場合には、搬出ガイド板の剛性が高くなり、音響反射の減少によって騒音が低減されるとともに、耐久性の向上も図ることができる。
【００２３】
前記搬出ガイド板に切口面同士が擦り合うスリットが形成されている場合には、スリットの切口面同士の擦り合い摩擦によって振動を効果的に減衰することができるとともに、商品の液漏れが発生しても、その液体がスリットを通して下方に漏洩拡散することを抑制することができる。
【００２４】
前記搬出ガイド板が網目構造から構成されている場合には、搬出ガイド板の搬出ガイド面積が小さなものになり、衝突音の放射率も小さくなるから、払出商品との衝突音及び摺接音を効果的に低減することができる。
【００２５】
従って、孔、リブ、スリット、網目構造の一つ又はそれらの２以上の組合わせにより、搬出ガイド板と払出商品との衝突又は摺接による音の発生を大幅に減少することができる。
【００２６】
本発明の請求項６による自動販売機の商品搬出装置の特徴構成は、前記発生音減少手段が、摺接ガイド部の摺接面に形成された非金属材料製の被覆層から構成されている点にある。
【００２７】
上記特徴構成によれば、摺接ガイド部の摺接面に形成された非金属材料製の被覆層を介して押出し具が摺接するから、摺接音の発生源自体が小さくなり、騒音を効果的に低減することができる。
【００２８】
本発明の請求項７による自動販売機の商品搬出装置の特徴構成は、前記発生音減少手段が、押出し具を非金属材料から製作することにより構成されている点にある。
【００２９】
上記特徴構成によれば、合成樹脂等の非金属材料から製作された押出し具を、搬出ガイド板上の払出商品に当接したときに弾性的に撓み変形させることにより、この弾性撓み変形によるクッション作用をもって商品当接時の騒音を効果的に減少することができる。
【００３０】
本発明の請求項８による特徴構成は、庫内の底部側に、商品収納ラックから払い出される商品を受止めて商品取出口側に搬出案内する搬出ガイド板を配設し、この搬出ガイド板の両側脇に沿って配設された無端回動体に亘って搬出ガイド板上の払出商品を商品取出口側に向かって押し出すための押出し杆を架設してなる商品搬出コンベヤを設けるとともに、搬出ガイド板の両側辺部には、押出し杆を摺接状態で移動案内する摺接ガイド部を設けてある自動販売機の商品搬出装置であって、
前記無端回動体の戻り経路側から商品搬出経路側に回動する押出し杆の中央部と搬出ガイド板の搬出始端部との衝突を回避する衝突回避手段が設けられている点にある。
【００３１】
上記特徴構成によれば、押出し杆が戻り経路の終端側から商品搬出経路の始端側に回動する際、遠心力で回動半径方向外方に振り回された押出し杆が回動半径方向内方に急激に引き戻され、押出し杆の中央部が大きく撓み変形しても、その押出し杆の中央部と搬出ガイド板の搬出始端部とが衝突することを回避することができる。
【００３２】
従って、押出し杆が戻り経路の終端から搬出経路の始端側に回動する際の騒音発生を大幅に減少することができる。
【００３３】
本発明の請求項９による自動販売機の商品搬出装置の特徴構成は、前記衝突回避手段が、搬出ガイド板の搬出始端部で、かつ、商品搬出経路側に回動する押出し杆の中央部に対応する部位に窪み形成された凹部又は貫通孔から構成されている点にある。
【００３４】
上記特徴構成によれば、押出し杆が戻り経路の終端側から商品搬出経路の始端側に回動する際、遠心力で回動半径方向外方に振り回された押出し杆が回動半径方向内方に急激に引き戻され、押出し杆の中央部が大きく撓み変形しても、その押出し杆の中央部は、搬出ガイド板に窪み形成された凹部又は貫通孔を非接触状態で通過移動するから、撓み変形した押出し杆の中央部が搬出ガイド板に衝突又は摺接することに起因する騒音発生を防止することができる。
【００３５】
特に、搬出ガイド板に凹部が窪み形成されている場合には、搬出ガイド板の剛性が高くなり、音響反射の減少によって騒音が低減されるとともに、耐久性の向上も図ることができ、しかも、商品の液漏れが発生したときの液漏れ溜まりに利用することもできる。
【００３６】
本発明の請求項１０による特徴構成は、庫内の底部側に、商品収納ラックから払い出される商品を受止めて商品取出口側に搬出案内する搬出ガイド板を配設し、この搬出ガイド板の両側脇に沿って配設された無端回動体に亘って搬出ガイド板上の払出商品を商品取出口側に向かって押し出すための押出し杆を架設してなる商品搬出コンベヤを設けるとともに、搬出ガイド板の両側辺部には、押出し杆を摺接状態で移動案内する摺接ガイド部を設けてある自動販売機の商品搬出装置であって、
前記搬出ガイド板の搬出始端部のうち、無端回動体の戻り経路側から商品搬出経路側に回動する押出し杆の中央部と接触又は衝突する可能性のある部位に緩衝材が設けられている点にある。
【００３７】
上記特徴構成によれば、押出し杆が戻り経路の終端側から商品搬出経路の始端側に回動する際、遠心力で回動半径方向外方に振り回された押出し杆が回動半径方向内方に急激に引き戻され、押出し杆の中央部が大きく撓み変形しても、その押出し杆の中央部は搬出ガイド板の搬出始端部に設けられた緩衝材と接触又は衝突することになるので、押出し杆の中央部と搬出ガイド板との接触音又は衝突音を迅速に減衰することができる。
【００３８】
従って、押出し杆が戻り経路の終端から搬出経路の始端側に回動する際の騒音発生を大幅に減少することができる。
【００３９】
【発明の実施の形態】
〔第１実施形態〕
図１は、紙箱飲料や缶飲料等の商品１を販売する自動販売機を示し、板金製の外箱２と商品収納庫３を形成する板金製の内箱４との間に断熱材５を介装してなるキャビネット６には、内箱４の前面開口部に対して揺動開閉自在で、下端側に商品排出口７を備えた断熱構造の内扉８と、外箱２の前面開口部に対して揺動開閉自在で、下端側に内扉８の商品排出口７を通して送出されてきた商品１を受止める商品受け部９及びこれに受止められた商品１を外部に取り出す商品取出口１０を備えた外扉１１とが取付けられている。
【００４０】
前記キャビネット６の内箱４内には、商品収納庫３を左右方向で複数のラック装着室３Ａに区画形成するための断熱構造の仕切板１２が設けられ、各ラック装着室３Ａ内に臨む天井壁部には、多数の商品１を下方に払い出し可能な状態で上下方向に沿って積み重ね収納するための商品収納通路Ｓを前後方向で複数列形成してある商品収納ラックＡが、前後方向から吊下げ状態で脱着自在に組付けられているとともに、商品収納庫３内の底部側には、商品払出指令信号（販売指令信号）に基づいて商品収納ラックＡの商品収納通路１２から選択的に払出されてくる商品１を受止めて内扉８の商品排出口７及び商品取出口１０側に向かって水平方向に強制搬出する商品搬出コンベアＢと、庫内送風ファン１３、蒸発器１４、内箱４の背面板４Ａとの間に送風通路を形成するダクト１５等を備えた庫内温調ユニットＣとが配設され、更に、外箱２内の底部側の庫外空間１６内には、凝縮器１７、送風ファン１８、圧縮機１９等を備えた庫外温調ユニットＤが配設されている。
【００４１】
また、図２〜図４に示すように、各ラック装着室３Ａ内に臨むダクト１５には、商品搬出コンベアＢの構成部材である搬出ガイド板３１の搬出ガイド面３１ａに対して、商品収納ラックＡの後部側の商品収納通路Ｓから払出されてくる商品１を前方側に寄せながら滑降案内する板金製の後部シュート２２がビス２１にて取付けられているとともに、前記内箱４の側板４Ｂと仕切板１２との相対向面には、搬出ガイド板３１の搬出ガイド面３１ａに対して、商品収納ラックＡの各商品収納通路Ｓから払出されてくる商品１を商品搬出経路の幅方向中央位置（左右方向中央位置）側に寄せながら滑降案内する板金製の側部シュート２３がビス２１にて取付けられている。
【００４２】
前記後部シュート２２は、左右方向中央位置に一つのビス孔を備えた取付け板部２２Ａと、これの下端に連続する傾斜姿勢の滑降案内板部２２Ｂと、これの下端からダクト１５側に延びる脚板部２２Ｃと、これの先端からダクト１５に沿って下方に延びる当て板部２２Ｄとに連続的に折曲げ形成されているとともに、滑降案内板部２２Ｂの左右両側には、側部シュート２３の後端部２３ｂが前方から差込み接続される角状の差込み孔２２ｂが形成されている。
【００４３】
前記側部シュート２３の各々は、前端側に一つのビス孔を備えた取付け板部２３Ａと、これの下端に連続する傾斜姿勢の滑降案内板部２３Ｂと、これの下端から内箱４の側板４Ｂ側又は仕切板１２側に向かって延びる支え板部２２Ｃとに連続的に折曲げ形成されているとともに、左右の支え板部２３Ｃの上面に対して、商品搬出コンベアＢの構成部材である両フレーム３０の上側フランジ部３０Ａを前方側から摺動状態で掛止保持させるように構成されている。
【００４４】
また、左右の側部シュート２３に掛止保持された商品搬出コンベアＢが前後方向に移動することを防止するための固定構造としては、図２、図３に示すように、商品搬出コンベアＢの構成部材である搬出ガイド板３１の両側板部３１Ａの前端部に、搬出ガイド面３１ａに沿って搬出案内されてきた商品１を商品排出口７に向かって下方に放出案内する前部シュート２４を取付けるとともに、この前部シュート２４の下端側の取付け板部２４Ａを内箱４の底壁面板４Ｃにビス２１で取付けることにより、商品搬出コンベアＢを内箱４に固定している。
【００４５】
前記商品搬出コンベアＢを構成するに、図２〜図９に示すように、前後方向視において略コの字状に折曲げ形成された左右一対の板金製のフレーム３０に亘って、前後方向視において略下向きコの字状に折曲げ形成された板金製の搬出ガイド板３１の両側板部３１Ａが、締結具の一例であるビス３２で締付け固定されていて、この搬出ガイド板３１の上面が、商品収納ラックＡから下方に払い出される商品１を受止めてこれを商品排出口７及び商品取出口１０側に向かって水平方向に搬出案内する搬出ガイド面３１ａに構成されている。
【００４６】
また、前記搬出ガイド板３１の両側板部３１Ａの前端部に亘って、電動モータ３３の駆動軸３３Ａに減速ギヤ機構Ｅを介して連動された出力軸３４が回転自在に架設され、この出力軸３４の両端側の異形軸部３４ａに一体回転状態で外嵌された合成樹脂製の駆動スプロケット３５と両フレーム３０の後端部に固着の支持軸３６に外嵌固定された合成樹脂製の従動スプロケット３７とに亘って無端回動体の一例である無端チェーン３８が巻回されているとともに、左右の無端チェーン３８の連結ピンのうち、回動方向に一定間隔を隔てた複数箇所（当該実施形態では四箇所）に位置する連結ピン３９を相手側に突出するロングピンから構成して、左右方向で相対向するロング連結ピン３９の突出係止部に亘って、搬出ガイド板３１の搬出ガイド面３１ａ上に位置する払出商品１を商品排出口７側に向かって押し出す押出し具の一例で、一般構造用炭素鋼管等の金属製中空部材を用いて製作された押出し杆４０が架設されている。
【００４７】
前記搬出ガイド板３１のうち、両側板部３１Ａと搬出ガイド面３１ａとの隣接間には、図６、図７に示すように、搬出ガイド面３１ａよりも少し上方に変位した部位において、押出し杆４０の左右両端部を前後方向に沿って摺接状態で移動案内する摺接ガイド部３１Ｂが折曲げ形成されているとともに、各摺接ガイド部３１Ｂと搬出ガイド面３１ａとの隣接間には、搬出ガイド面３１ａよりも少し下方に突出する状態で前後方向視略Ｖ字状の折曲げ部３１Ｃを屈曲形成して、この左右のＶ字状折曲げ部３１Ｃを、商品１から漏洩した液体を一時的に貯留可能な液溜め部に構成し、更に、前記各Ｖ字状折曲げ部３１Ｃの外側傾斜面には、前後方向に所定ピッチで長円形状の多数の孔４１が貫通形成されている。
【００４８】
そして、前記搬出ガイド板３１の略前後長に亘って折曲げ形成された両側板部３１Ａ及び両Ｖ字状折曲げ部３１Ｃによって搬出ガイド板３１の剛性が高くなるため、この高剛性域での振動による変位が大幅に小さくなり、音響反射の減少によって騒音を低減することができる。
【００４９】
しかも、各Ｖ字状折曲げ部３１Ｃの外側傾斜面に沿って形成された多数の長円孔４１により、搬出ガイド板３１自体の質量が小さくなるため、払出商品１などとの衝突時における発生音源自体が小さくなるとともに、払出商品１との衝突や摺接に起因して搬出ガイド面３１ａ側で発生した振動、及び、押出し杆４０との摺接に起因して摺接ガイド部３１Ｂ側で発生した振動をそれぞれ減衰することができるから、搬出ガイド面３１ａ側又は摺接ガイド部３１Ｂ側への相互の振動の伝播を効果的に抑制することができる。
【００５０】
それ故に、前記搬出ガイド板３１の略前後長に亘って折曲げ形成された両側板部３１Ａ及び両Ｖ字状折曲げ部３１Ｃの各々が、摺接ガイド部３１Ｂに沿って設けられる他の部位よりも高い剛性を有する高剛性域Ｆ１を構成することになるとともに、各Ｖ字状折曲げ部３１Ｃの外側傾斜面に沿って形成された多数の長円孔４１が、搬出ガイド板３１の搬出ガイド面３１ａと両摺接ガイド部３１Ｂとの間で伝播される振動を減衰する状態で摺接ガイド部３１Ｂに沿って設けられる振動減衰域Ｆ２を構成することになり、更に、前記高剛性域Ｆ１又は振動減衰域Ｆ２若しくはこれら両者Ｆ１，Ｆ２をもって、前記搬出ガイド板３１の搬出ガイド面３１ａと両摺接ガイド部３１Ｂとの間での音源となる振動の伝播を減少する伝播振動減少手段Ｆが構成されている。
【００５１】
前記減速ギヤ機構Ｅは、図４、図８、図９に示すように、搬出ガイド板３１の一方の側板部３１Ａに、電動モータ３３の取付け部と出力軸３４の一端部に形成されたＤカット状の異径軸部３４ａに対する差込み口４５ａとを備えた合成樹脂製の伝動ケース４５を取付け、この伝動ケース４５とこれの開口を覆う合成樹脂製の伝動カバー４６とで形成されるギヤ収納空間内には、電動モータ３３の駆動軸３３Ａに装着された合成樹脂製のピニオン４７と、これに合成樹脂製の第１減速ギヤ４８及び合成樹脂製の第２減速ギヤ４９を介して連動する合成樹脂製の出力ギヤ５０を組付けて構成されている。
【００５２】
更に、出力ギヤ５０のボス部５０ａに形成される軸受け孔５０ｂは、出力軸３４の異形軸部３４ａと嵌合するＤカット状の異径孔に形成して、減速ギヤ機構Ｅの伝動ケース４５を搬出ガイド板３１の側板部３１Ａに取付けたとき、出力軸３４の異形軸部３４ａが出力ギヤ５０の軸受け孔５０ｂに対して軸芯方向から直接一体回転状態で嵌合するように構成されている。
【００５３】
これによる場合は、減速ギヤ機構Ｅの出力ギヤ５０と出力軸３４とを直接嵌合により結合するため、例えば、出力ギヤ５０を装着した伝動軸と出力軸３４とをカップリングで結合する場合に比較して、伝動構造の簡素化と製造コストの低廉化を図ることができる。
【００５４】
尚、左右の駆動スプロケット３５の軸受け孔も、出力軸３４の両端部に形成された異形軸部３４ａと一体回転状態で嵌合するＤカット状の異径孔に形成されている。
【００５５】
また、図６に示すように、各フレーム３０の前端部に形成される出力軸３４用の挿通孔３０ａを前後方向に沿った長孔に形成するとともに、搬出ガイド板３１の両側板部３１Ａに対してビス止めするための各フレーム３０の取付け孔３０ｂ，３０ｃのうち、前方側の取付け孔３０ｂを挿通孔３０ａに連通形成し、更に、後方側の取付け孔３０ｃを前後方向に沿った長孔に形成して、搬出ガイド板３１の両側板部３１Ａに対する両フレーム３０の前後方向での取付け位置を変更することにより、両フレーム３０側に軸支された従動スプロケット３６を介して無端チェーン３８のテンションを調節することができるように構成されている。
【００５６】
〔第２実施形態〕
図１０は、前記搬出ガイド板３１の搬出ガイド面３１ａと両摺接ガイド部３１Ｂとの間での音源となる振動の伝播を減少する伝播振動減少手段Ｆの別実施形態を示し、前記搬出ガイド板３１の搬出ガイド面３１ａうち、左右のＶ字状折曲げ部３１Ｃに連続する隣接部位に、それの前後長の全域に亘る状態で下向きに半円弧状に窪む二条のリブ５２をそれぞれ屈曲形成して、摺接ガイド部３１Ｂに沿って設けられる他の部位よりも高い剛性を有する高剛性域Ｆ１を構成したものである。
【００５７】
この実施形態の場合、合計四条のリブ５２によって形成される溝５２ａが、商品１から漏洩した液体を一時的に貯留可能な液溜め部に構成されているとともに、騒音の低減化に効果のある高剛性域Ｆ１が、搬出ガイド板３１の略前後長に亘って折曲げ形成された両側板部３１Ａと両Ｖ字状折曲げ部３１Ｃ及び四条のリブ５２との三種類から構成されている。
【００５８】
また、当該実施形態では、左右両側に二条のリブ５２を形成したが、一条又は三条以上に構成してもよく、更に、リブ５２を前後方向で複数に断続形成したり、或いは、前後方向の長さが短い多数のリブ５２を千鳥状に形成してもよい。
尚、その他の構成は、第１実施形態で説明した構成と同一であるから、同一の構成箇所には、第１実施形態と同一の番号を付記してそれの説明は省略する。
【００５９】
〔第３実施形態〕
図１１は、前記搬出ガイド板３１の搬出ガイド面３１ａと両摺接ガイド部３１Ｂとの間での音源となる振動の伝播を減少する伝播振動減少手段Ｆの別実施形態を示し、各摺接ガイド部３１Ｂと搬出ガイド面３１ａとの隣接間に、搬出ガイド面３１ａよりも少し下方に突出する状態で前後方向視略Ｖ字状の折曲げ部３１Ｃを二条屈曲形成して、合計四条のＶ字状折曲げ部３１Ｃを、商品１から漏洩した液体を一時的に貯留可能な液溜め部に構成し、更に、前記各Ｖ字状折曲げ部３１Ｃの外側傾斜面又は内側傾斜面若しくは両者に、前後方向に所定ピッチを隔てて長円形状等の多数の孔４１を貫通形成してある。
【００６０】
それ故に、前記搬出ガイド板３１の略前後長に亘って折曲げ形成された両側板部３１Ａ及び合計四条のＶ字状折曲げ部３１Ｃの各々が、摺接ガイド部３１Ｂに沿って設けられる他の部位よりも高い剛性を有する高剛性域Ｆ１を構成することになるとともに、各Ｖ字状折曲げ部３１Ｃの外側傾斜面又は内側傾斜面若しくは両者に沿って形成された多数の貫通孔４１が、搬出ガイド板３１の搬出ガイド面３１ａと両摺接ガイド部３１Ｂとの間で伝播される振動を減衰する状態で摺接ガイド部３１Ｂに沿って設けられる振動減衰域Ｆ２を構成することになる。
尚、その他の構成は、第１実施形態で説明した構成と同一であるから、同一の構成箇所には、第１実施形態と同一の番号を付記してそれの説明は省略する。
【００６１】
〔第４実施形態〕
図１２は、前記搬出ガイド板３１の搬出ガイド面３１ａと両摺接ガイド部３１Ｂとの間での音源となる振動の伝播を減少する伝播振動減少手段Ｆの別実施形態を示し、各摺接ガイド部３１Ｂと搬出ガイド面３１ａとの隣接間に、搬出ガイド面３１ａよりも少し下方に突出する状態で前後方向視略Ｖ字状の折曲げ部３１Ｃを屈曲形成して、この左右のＶ字状折曲げ部３１Ｃを、商品１から漏洩した液体を一時的に貯留可能な液溜め部に構成し、更に、前記各Ｖ字状折曲げ部３１Ｃの外側傾斜面には、前後方向に所定ピッチで長円形状等の多数の孔４１が二列状態で千鳥状に貫通形成されている。
【００６２】
この実施形態の場合、前記搬出ガイド板３１の略前後長に亘って折曲げ形成された両側板部３１Ａ及び両Ｖ字状折曲げ部３１Ｃによって搬出ガイド板３１の剛性が高くなるため、この高剛性域での振動による変位が大幅に小さくなり、音響反射の減少によって騒音を低減することができる。
【００６３】
しかも、各Ｖ字状折曲げ部３１Ｃの外側傾斜面に沿って形成された多数の長円孔４１により、搬出ガイド板３１自体の質量が小さくなるため、払出商品１などとの衝突時における発生音源自体が小さくなるとともに、衝突音を効果的に減衰することができる。
【００６４】
特に、多数の貫通孔４１が千鳥状に形成されているため、この孔形成領域が音響的に不連続体となり、衝突や摺動等による波動エネルギーを効果的に吸収して、衝突音や摺接音等を迅速に減衰させることができる。
【００６５】
また、当該実施形態では、前記貫通孔４１を長円形状に形成したが、円形や四角形等に形成してもよく、更に、貫通孔４１を三列以上の千鳥状に形成してもよい。
尚、その他の構成は、第１実施形態で説明した構成と同一であるから、同一の構成箇所には、第１実施形態と同一の番号を付記してそれの説明は省略する。
【００６６】
〔第５実施形態〕
図１３、図１４は、前記搬出ガイド板３１の搬出ガイド面３１ａと両摺接ガイド部３１Ｂとの間での音源となる振動の伝播を減少する伝播振動減少手段Ｆの別実施形態を示し、前記搬出ガイド板３１を、側板部３１Ａ及び摺接ガイド部３１Ｂを備えた横断面Ｌ字状の左右一対のサイドガイド板５３と、両Ｖ字状折曲げ部３１Ｃの外側端に連結フランジ部３１Ｄを形成してあるセンターガイド板５１との三つの部分に分離形成し、センターガイド板５１の連結フランジ部３１Ｄとサイドガイド板５３の摺接ガイド部３１Ｂとを、前後方向長さの短い複数の締結手段５４で固定連結するとともに、締結手段５４の隣接間に隙間５５を設ける。
【００６７】
前記締結手段５４は、隙間５５を形成するために防振ゴム等の非金属材料５６を主要連結部材として備え、ボルト・ナットや接着剤などで連結フランジ部３１Ｄと摺接ガイド部３１Ｂとを締結している。
【００６８】
この実施形態の場合、搬出ガイド板３１を構成する両サイドガイド板５３とセンターガイド板５１とが隙間５５を設けて連結されているため、この部位が音響的に不連続体となり、衝突や摺動等による波動エネルギーを効果的に吸収することができるとともに、隙間５５を形成するための防振ゴム等の非金属材料５６においても波動エネルギーを効果的に吸収することができ、衝突音や摺接音等を迅速に減衰させることができる。
【００６９】
それ故に、当該実施形態においては、別体形成された両サイドガイド板５３とセンターガイド板５１との間の隙間５５、及び、隙間５５を形成するための防振ゴム等の非金属材料５６の各々が、搬出ガイド板３１の搬出ガイド面３１ａと両摺接ガイド部３１Ｂとの間で伝播される振動を減衰する状態で摺接ガイド部３１Ｂに沿って設けられる振動減衰域Ｆ２を構成することになる。
尚、その他の構成は、第１実施形態で説明した構成と同一であるから、同一の構成箇所には、第１実施形態と同一の番号を付記してそれの説明は省略する。
【００７０】
〔第６実施形態〕
図１５は、前記搬出ガイド板３１の搬出ガイド面３１ａと両摺接ガイド部３１Ｂとの間での音源となる振動の伝播を減少する伝播振動減少手段Ｆの別実施形態を示し、第５実施形態の図１３と同様に、前記搬出ガイド板３１を、側板部３１Ａ及び摺接ガイド部３１Ｂを備えた横断面Ｌ字状の左右一対のサイドガイド板５３と、両Ｖ字状折曲げ部３１Ｃの外側端に連結フランジ部３１Ｄを形成してあるセンターガイド板５１との三つの部分に分離形成し、センターガイド板５１の連結フランジ部３１Ｄとサイドガイド板５３の摺接ガイド部３１Ｂとを、それらの全長に亘る長さを備えた防振ゴム等の非金属材料５７を挟んだ状態で締結する。
【００７１】
この実施形態の場合、搬出ガイド板３１を構成する両サイドガイド板５３とセンターガイド板５１とが別体に構成されているため、この部位が音響的に不連続体となり、衝突や摺動等による波動エネルギーを効果的に吸収することができるとともに、それら両者間に介在される防振ゴム等の非金属材料５７においても波動エネルギーを効果的に吸収することができ、衝突音や摺接音等を迅速に減衰させることができる。
【００７２】
それ故に、当該実施形態においては、別体形成された両サイドガイド板５３とセンターガイド板５１との間に介在された防振ゴム等の非金属材料５７が、搬出ガイド板３１の搬出ガイド面３１ａと両摺接ガイド部３１Ｂとの間で伝播される振動を減衰する状態で摺接ガイド部３１Ｂに沿って設けられる振動減衰域Ｆ２を構成することになる。
尚、その他の構成は、第１実施形態で説明した構成と同一であるから、同一の構成箇所には、第１実施形態と同一の番号を付記してそれの説明は省略する。
【００７３】
〔第７実施形態〕
図１６は、前記搬出ガイド板３１の少なくとも搬出ガイド面３１ａの一部又は全部を、エキスパンダメタルやパンチングメタルなどの網目構造５８に構成してある。
【００７４】
この実施形態の場合、搬出ガイド板３１の搬出ガイド面３１ａの面積が小さなものになり、衝突音の放射率も小さくなるから、払出商品１との衝突音及び摺接音を効果的に低減することができる。
【００７５】
それ故に、搬出ガイド板３１の少なくとも搬出ガイド面３１ａの一部又は全部に形成された網目構造５８をもって、搬出ガイド板３１での音の発生を減少する発生音減少手段Ｇが構成されている。
尚、その他の構成は、第１実施形態で説明した構成と同一であるから、同一の構成箇所には、第１実施形態と同一の番号を付記してそれの説明は省略する。
【００７６】
〔第８実施形態〕
図１７は、前記搬出ガイド板３１の摺接ガイド部３１Ｂの摺接面に、摩擦係数が小さく、かつ、金属材料よりも弾性を有する非金属材料の一例であるＰＯＭ等の合成樹脂製の被覆層５９が形成されている。
【００７７】
この実施形態の場合、摺接ガイド部３１Ｂの摺接面に形成された非金属材料製の被覆層５９を介して押出し杆４０が摺接するから、摺接音の発生源自体が小さくなるとともに、摺接音等を迅速に減衰させることができるので、騒音を効果的に低減することができる。
【００７８】
それ故に、摺接ガイド部３１Ｂの摺接面に形成された非金属材料製の被覆層５９をもって、摺接ガイド部３１Ｂでの音の発生を減少する発生音減少手段Ｇが構成されている。
尚、その他の構成は、第１実施形態で説明した構成と同一であるから、同一の構成箇所には、第１実施形態と同一の番号を付記してそれの説明は省略する。
【００７９】
〔第９実施形態〕
図１８は、前記搬出ガイド板３１の少なくとも搬出ガイド面３１ａの一部又は全部に、それの前後長の略全域に亘って多数の長円形状等の貫通孔６０又は切口面同士が擦り合わない大きさの多数のスリットを千鳥状に複数列形成するとともに、隣接する貫通孔６０列間又は隣接するスリット列間には、それの前後長の略全域に亘って複数条のリブ６１が形成されている。
【００８０】
この実施形態の場合、搬出ガイド板３１に貫通孔６０又は切口面同士が擦り合わない大きさのスリットが形成されているので、搬出ガイド板３１自体の質量が小さくなり、払出商品１などとの衝突時における発生音源自体が小さくなるとともに、衝突音や摺接音を効果的に減衰することができる。
【００８１】
特に、多数の貫通孔６０又はスリットが千鳥状に形成されているので、この貫通孔６０又はスリット形成領域が音響的に不連続体となり、衝突や摺動等による波動エネルギーを効果的に吸収して、衝突音や摺接音を迅速に減衰させることができる。
【００８２】
それでいて、搬出ガイド板３１には複数条のリブ６１が形成されているので、多数の貫通孔６０又は切口面同士が擦り合わない大きさのスリットを形成しながらも、搬出ガイド板３１の剛性が高くなり、音響反射の減少によって騒音が低減されるとともに、耐久性の向上も図ることができる。
【００８３】
それ故に、搬出ガイド板３１の少なくとも搬出ガイド面３１ａの一部又は全部に形成された多数の孔６０又はスリット或いは複数条のリブ６１の各々が、搬出ガイド板３１での音の発生を減少する発生音減少手段Ｇに構成されている。
【００８４】
特に、複数条のリブ６１により、多数の孔６０又はスリットが形成されていても、搬出ガイド板３１を補強しながら騒音の発生を効果的に減少することができる。
【００８５】
また、当該実施形態では、リブ６１を搬出ガイド板３１の前後長の略全域に亘って条状に形成したが、前後長の短い多数のリブを千鳥状等に配設してもよい。尚、その他の構成は、第１実施形態で説明した構成と同一であるから、同一の構成箇所には、第１実施形態と同一の番号を付記してそれの説明は省略する。
【００８６】
〔第１０実施形態〕
図１９は、前記搬出ガイド板３１の少なくとも搬出ガイド面３１ａの一部又は全部に、振動によって切口面同士が擦り合う形状の多数のスリット６２を、搬出ガイド板３１の前後長の略全域に亘る状態で千鳥状に複数列形成する。
【００８７】
この実施形態の場合、振動によって切口面同士が擦り合う形状のスリット６２が形成されているので、スリット６２の切口面同士の擦り合い摩擦によって振動を効果的に減衰することができるとともに、商品１の液漏れが発生しても、その液体がスリット６２を通して下方に漏洩拡散することを抑制することができる。
【００８８】
特に、多数のスリット６２が千鳥状に形成されているので、このスリット６２の形成領域が音響的に不連続体となり、衝突や摺動等による波動エネルギーを効果的に吸収して、衝突音や摺接音を迅速に減衰させることができる。
【００８９】
それ故に、搬出ガイド板３１の少なくとも搬出ガイド面３１ａの一部又は全部に形成された切口面同士が擦り合う形状の多数のスリット６２をもって、搬出ガイド板３１での音の発生を減少する発生音減少手段Ｇが構成されている。
尚、その他の構成は、第１実施形態で説明した構成と同一であるから、同一の構成箇所には、第１実施形態と同一の番号を付記してそれの説明は省略する。
【００９０】
〔第１１実施形態〕
図２０、図２１は、前記搬出ガイド板３１の少なくとも搬出ガイド面３１ａの一部又は全部に、球体の略１／４の大きさに相当する部分球状の多数の窪み部（ルーバー）６３を千鳥状に打ち出し形成してある。
【００９１】
この実施形態の場合、多数の部分球状の窪み部６３が千鳥状に打ち出し形成されているので、この窪み部６３の形成領域が音響的に不連続体となり、衝突や摺動等による波動エネルギーを効果的に吸収して、衝突音や摺接音を迅速に減衰させることができる。
【００９２】
しかも、多数の部分球状の窪み部６３を打ち出し形成することにより、搬出ガイド板３１の剛性が高くなり、音響反射の減少によって騒音が低減されるとともに、耐久性の向上も図ることができる。
【００９３】
それ故に、搬出ガイド板３１の少なくとも搬出ガイド面３１ａの一部又は全部に打ち出し形成された複数の窪み部６３をもって、搬出ガイド板３１での音の発生を減少する発生音減少手段Ｇが構成されている。
【００９４】
尚、その他の構成は、第１実施形態で説明した構成と同一であるから、同一の構成箇所には、第１実施形態と同一の番号を付記してそれの説明は省略する。
【００９５】
〔第１２実施形態〕
図２２は、前記無端チェーン３８の戻り経路側から商品搬出経路側に回動する押出し杆４０の中央部と搬出ガイド板３１の搬出始端部との衝突を回避する衝突回避手段Ｈが設けられている。
【００９６】
前記衝突回避手段Ｈは、図２３に示すように、摺接ガイド部３１Ｂの搬出始端部で、かつ、戻り経路側から商品搬出経路側に回動する押出し杆４０の中央部４０ａの撓み変形によって搬出ガイド板３１の搬出始端部に衝突する可能性のある部位に、商品搬出経路側に回動する押出し杆４０の両端部が摺接ガイド部３１Ｂの摺接ガイド面よりも少し高い位置で摺接する合成樹脂等の非金属製の緩衝材６４を設けて構成されている。
【００９７】
上記特徴構成によれば、押出し杆４０が戻り経路の終端側から商品搬出経路の始端側に回動する際、遠心力で回動半径方向外方に振り回された押出し杆４０が回動半径方向内方に急激に引き戻され、押出し杆４０の中央部４０ａが大きく撓み変形しても、その押出し杆４０の中央部４０ａと搬出ガイド板３１の搬出始端部とが衝突することを回避することができるとともに、摺接ガイド部３１Ｂの搬出始端部に押出し杆４０の両端部が当接する際の衝突音を迅速に減衰することができる。
尚、その他の構成は、第１実施形態で説明した構成と同一であるから、同一の構成箇所には、第１実施形態と同一の番号を付記してそれの説明は省略する。
【００９８】
〔第１３実施形態〕
図２４は、前記無端チェーン３８の戻り経路側から商品搬出経路側に回動する押出し杆４０の中央部４０ａと搬出ガイド板３１の搬出始端部との衝突を回避する衝突回避手段Ｈの別実施形態を示し、搬出ガイド板３１の搬出始端部で、かつ、商品搬出経路側に回動する押出し杆４０の中央部４０ａに対応する部位に窪み形成された凹部６５から構成されている。
【００９９】
この実施形態の場合は、押出し杆４０が戻り経路の終端側から商品搬出経路の始端側に回動する際、遠心力で回動半径方向外方に振り回された押出し杆４０が回動半径方向内方に急激に引き戻され、押出し杆４０の中央部４０ａが大きく撓み変形しても、その押出し杆４０の中央部４０ａは、搬出ガイド板３１に窪み形成された凹部６５を非接触状態で通過移動するから、撓み変形した押出し杆４０の中央部４０ａが搬出ガイド板３１に衝突又は摺接することに起因する騒音発生を防止することができる。
【０１００】
特に、搬出ガイド板３１に凹部６５が窪み形成されている場合には、搬出ガイド板３１の剛性が高くなり、音響反射の減少によって騒音が低減されるとともに、耐久性の向上も図ることができ、しかも、商品１の液漏れが発生したときの液漏れ溜まりに利用することもできる。
尚、その他の構成は、第１実施形態で説明した構成と同一であるから、同一の構成箇所には、第１実施形態と同一の番号を付記してそれの説明は省略する。
【０１０１】
〔第１４実施形態〕
図２５は、前記無端チェーン３８の戻り経路側から商品搬出経路側に回動する押出し杆４０の中央部４０ａと搬出ガイド板３１の搬出始端部との衝突を回避する衝突回避手段Ｈの別実施形態を示し、搬出ガイド板３１の搬出始端部で、かつ、商品搬出経路側に回動する押出し杆４０の中央部４０ａに対応する部位に形成された貫通孔６６から構成されている。
【０１０２】
この実施形態の場合は、押出し杆４０が戻り経路の終端側から商品搬出経路の始端側に回動する際、遠心力で回動半径方向外方に振り回された押出し杆４０が回動半径方向内方に急激に引き戻され、押出し杆４０の中央部４０ａが大きく撓み変形しても、その押出し杆４０の中央部４０ａは、搬出ガイド板３１に形成された貫通孔６６を非接触状態で通過移動するから、撓み変形した押出し杆４０の中央部４０ａが搬出ガイド板３１に衝突又は摺接することに起因する騒音発生を防止することができる。
尚、その他の構成は、第１実施形態で説明した構成と同一であるから、同一の構成箇所には、第１実施形態と同一の番号を付記してそれの説明は省略する。
【０１０３】
〔第１５実施形態〕
図２６に示すように、搬出ガイド板３１の搬出ガイド面３１ａの搬出始端部で、かつ、商品搬出経路側に回動する押出し杆４０の中央部４０ａに対応する部位に、無端チェーン３８の戻り経路側から商品搬出経路側に回動する押出し杆４０の中央部４０ａとの接触時又は衝突時の衝撃を吸収緩和する防振ゴム等の緩衝材６７が設けられている。
【０１０４】
そして、押出し杆４０が戻り経路の終端側から商品搬出経路の始端側に回動する際、遠心力で回動半径方向外方に振り回された押出し杆４０が回動半径方向内方に急激に引き戻され、押出し杆４０の中央部４０ａが大きく撓み変形しても、その押出し杆４０の中央部４０ａは搬出ガイド板３１の搬出始端部に設けられた緩衝材６７と接触又は衝突することになるので、押出し杆４０の中央部４０ａと搬出ガイド板３１との接触音又は衝突音を迅速に減衰することができる。
尚、その他の構成は、第１実施形態で説明した構成と同一であるから、同一の構成箇所には、第１実施形態と同一の番号を付記してそれの説明は省略する。
【０１０５】
〔その他の実施形態〕
（１）上述の各実施形態では、押出し杆４０を金属製の中空部材から製作したが、この押出し杆４０を合成樹脂等の非金属材料で中空状に製作してもよい。
（２）上述の各実施形態では、押し出し具としてパイプ状の押出し杆４０を例に挙げて説明したが、押し出し具４０としては、搬出ガイド板３１の搬出ガイド面３１ａ上に位置する払出商品１を商品排出口７側に向かって確実に押し出すことのできるものであれば、如何なる構造のものを用いてもよい。
【図面の簡単な説明】
【図１】本願発明の第１実施形態を示す自動販売機の断面側面図
【図２】要部の拡大断面側面図
【図３】要部の拡大断面正面図
【図４】商品搬出コンベアの駆動側の拡大断面正面図
【図５】商品搬出コンベアの平面図
【図６】商品搬出コンベアの分解斜視図
【図７】商品搬出コンベアの従動側の拡大断面正面図
【図８】減速ギヤ機構の分解図
【図９】減速ギヤ機構の伝動系統図
【図１０】本願発明の第２実施形態を示す要部の拡大断面正面図
【図１１】本願発明の第３実施形態を示す要部の拡大断面正面図
【図１２】本願発明の第４実施形態を示す要部の拡大平面図
【図１３】本願発明の第５実施形態を示す商品搬出コンベアの一部切欠き平面図
【図１４】商品搬出コンベアの要部の拡大断面正面図
【図１５】本願発明の第６実施形態を示す商品搬出コンベアの一部切欠き平面図
【図１６】本願発明の第７実施形態を示す商品搬出コンベアの一部省略平面図
【図１７】本願発明の第８実施形態を示す要部の拡大断面正面図
【図１８】本願発明の第９実施形態を示す商品搬出コンベアの一部省略平面図
【図１９】本願発明の第１０実施形態を示す商品搬出コンベアの平面図
【図２０】本願発明の第１１実施形態を示す商品搬出コンベアの一部省略平面図
【図２１】商品搬出コンベアの要部の拡大断面正面図
【図２２】本願発明の第１２実施形態を示す要部の拡大断面正面図
【図２３】搬出始端部での押出し杆の撓み状態を説明する模式図
【図２４】本願発明の第１３実施形態を示す商品搬出コンベアの搬出始端部側の断面側面図
【図２５】本願発明の第１４実施形態を示す商品搬出コンベアの搬出始端部側の断面側面図
【図２６】本願発明の第１５実施形態を示す商品搬出コンベアの要部の断面正面図
【符号の説明】
Ａ      商品収納ラック
Ｂ      商品搬出コンベア
Ｆ      伝播振動減少手段
Ｆ１    高剛性域
Ｆ２    振動減衰域
Ｇ      発生音減少手段
Ｈ      衝突回避手段
１      商品
３      商品収納庫
７      商品排出口
１０    商品取出口
３１    搬出ガイド板
３１ａ  搬出ガイド面
３１Ｂ  摺接ガイド部
３８    無端回動体（無端チェーン）
４０    押出し具（押出し杆）
４０ａ  中央部
４１    孔
５２    リブ
５６    非金属材料
５７    非金属材料
５８    網目構造
５９    被覆層
６０    孔
６１    リブ
６２    スリット
６３    窪み部
６４    緩衝材
６５    凹部
６６    貫通孔
【図１】
2004227377.tif 000003
【図２】
2004227377.tif 000004
【図３】
2004227377.tif 000005
【図４】
2004227377.tif 000006
【図５】
2004227377.tif 000007
【図６】
2004227377.tif 000008
【図７】
2004227377.tif 000009
【図８】
2004227377.tif 000010
【図９】
2004227377.tif 000011
【図１０】
2004227377.tif 000012
【図１１】
2004227377.tif 000013
【図１２】
2004227377.tif 000014
【図１３】
2004227377.tif 000015
【図１４】
2004227377.tif 000016
【図１５】
2004227377.tif 000017
【図１６】
2004227377.tif 000018
【図１７】
2004227377.tif 000019
【図１８】
2004227377.tif 000020
【図１９】
2004227377.tif 000021
【図２０】
2004227377.tif 000022
【図２１】
2004227377.tif 000023
【図２２】
2004227377.tif 000024
【図２３】
2004227377.tif 000025
【図２４】
2004227377.tif 000026
【図２５】
2004227377.tif 000027
【図２６】
2004227377.tif 000028